【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
利用者に持ち運ばれるように構成され、入口ポートと排出ポートとを有するＰＡＰＲハウジングと；
前記ＰＡＰＲハウジングの前記入口ポートに接続されるキャニスター保持筐体であって、内部チャンバを含み、外気を受容するように構成された外側の空気入口を有し、前記ＰＡＰＲハウジングの前記入口ポートと連通するろ過された空気のポートを有するキャニスター保持筐体と；
前記筐体の前記内部チャンバに置かれる複数のフィルターキャニスターであって、フィルターキャニスターのそれぞれは空気取込み口と空気排気口とを含み、フィルターキャニスターのそれぞれの前記空気排気口は前記筐体内で取り外し可能に結合されて前記筐体の前記ろ過された空気のポートと連通し、前記筐体は前記フィルターキャニスターの少なくとも２つを取り囲む、複数のフィルターキャニスターと；
空気を前記筐体の前記入口を通って前記筐体の前記内部チャンバ内に、そしてフィルターキャニスターを通過させて引き込むブロワとを備える；
動力付き空気浄化人工呼吸器（ＰＡＰＲ）。
【請求項２】
前記筐体は補強されて前記複数のフィルターキャニスターが外力により損傷を受けることを防止する；
請求項１の動力付き空気浄化人工呼吸器。
【請求項３】
前記複数のフィルターキャニスターのそれぞれに結合される支持構造をさらに備え、
前記筐体は前記フィルターキャニスターとは独立して支持構造に据付けられ、外力が前記筐体から前記フィルターキャニスターに伝達されるのを避ける；
請求項１の動力付き空気浄化人工呼吸器。
【請求項４】
前記入口ポートと前記複数のフィルターキャニスターの少なくとも１つの間の空気流路に配置され、液体が前記少なくとも１つのフィルターキャニスターに到達するのを防止するようになされた流体ダムをさらに備える；
請求項１の動力付き空気浄化人工呼吸器。
【請求項５】
前記筐体は前記複数のフィルターキャニスターが配置される単一の区画を画定する；
請求項２の動力付き空気浄化人工呼吸器。
【請求項６】
前記筐体は複数の分離した区画を画定し、
各フィルターキャニスターは前記複数の分離した区画の異なった１つに配置される；
請求項１の動力付き空気浄化人工呼吸器。
【請求項７】
前記筐体は前記ＰＡＰＲハウジングの前記入口ポートにつながるマニホルドを含み、前記フィルターキャニスターのそれぞれは、個別に取り外し可能に前記マニホルドに結合される；
請求項１の動力付き空気浄化人工呼吸器。
【請求項８】
前記筐体は前記ＰＡＰＲハウジングの前記入口ポートにつながるマニホルドを含み、前記マニホルドは前記フィルターキャニスターの対応する部分を受容する頂部板と底部板とを有する；
請求項１の動力付き空気浄化人工呼吸器。
【請求項９】
前記筐体は前記ＰＡＰＲハウジングの前記入口ポートにつながるマニホルドを含み、前記フィルターキャニスターの対応する部分を覆う別々のカバーを含む；
請求項１の動力付き空気浄化人工呼吸器。
【請求項１０】
単一の連続して閉じられた内部を画定する筐体と；
外気を前記筐体の前記内部に案内する少なくとも１つの入口と；
前記筐体の前記内部に配置されるフィルターキャニスターと；
ろ過された空気を前記フィルターキャニスターの出口から利用者に呼吸されるまで案内する流体接続装置と；
前記少なくとも１つの入口と前記フィルターキャニスターの間の空気流路に配置され、液体が前記フィルターキャニスターに到達するのを防止するようになされた流体ダムとを備える；
空気浄化人工呼吸器。
【請求項１１】
空気を前記少なくとも１つの入口を通って前記筐体の前記内部に、そして呼吸に適したろ過された空気を生成するため前記フィルターキャニスターを通過させるブロワをさらに備える；
請求項１０の空気浄化人工呼吸器。
【請求項１２】
空気を前記入口ダクトを通って前記筐体の前記内部に、そして呼吸に適したろ過された空気を生成するため前記少なくとも２つのフィルターキャニスターを通過させるブロワをさらに備える；
請求項１０の空気浄化人工呼吸器。
【請求項１３】
分配部分は少なくとも２組の空気出口を有するほぼ対称なチャンバであり、それぞれの組は少なくとも２つのフィルターキャニスターの特定の１つに空気を送るための１つ以上の空気出口を含む；
請求項１０の空気浄化人工呼吸器。
【請求項１４】
前記筐体は前記少なくとも２つのフィルターキャニスターのそれぞれに分離した区画を画定し、空気出口のそれぞれの組は前記チャンバから前記区画の１つへ正確に空気を案内する；
請求項１０の空気浄化人工呼吸器。
【請求項１５】
分配部分は異なったサイズの少なくとも２つのダクトホールを含み、それぞれのダクトホールは前記少なくとも２つのフィルターキャニスターの異なる１つへ空気を送るようになされる；
請求項１０の空気浄化人工呼吸器。
【請求項１６】
前記フィルターキャニスターはほぼ直線状に配列され、前記分配部分は前記フィルターキャニスターに近接してほぼ直線状に延在し、前記ダクトホールは前記分配部分内でほぼ直線状に配列され、よって空気がはじめに最小のダクトホールを通過して流れ大きなダクトホールに入り込むようにする；
請求項１０の空気浄化人工呼吸器。
【請求項１７】
前記流体接続装置に配置されるチャンバをさらに備え、該チャンバはその底部に空気出口を有し、前記流体ダムは前記チャンバの前記空気出口周囲を囲んで配列される；
請求項１０の空気浄化人工呼吸器。
【請求項１８】
前記流体接続装置に配置されるチャンバをさらに備え、該チャンバはその頂部と底部に空気出口を有し、前記流体ダムは前記チャンバの前記頂部と前記底部の前記空気出口周囲を囲んで配列される第１流体ダムと第２流体ダムを含む；
請求項１０の空気浄化人工呼吸器。
【請求項１９】
第１フィルターキャニスターは前記チャンバの下方に配置され、第１空気出口が空気を該第１フィルターキャニスターに案内するように配列され、第２フィルターキャニスターは前記チャンバの上方に配置され、第２空気出口は空気を該第２フィルターキャニスターに案内するように配列される；
請求項１７の空気浄化人工呼吸器。
【請求項２０】
利用者に持ち運ばれるようになされたハウジングと；
前記ハウジングに据付けられ、外気をろ過するようになされ、それによって空気を利用者が呼吸するのに適するようにするフィルターキャニスターと；
少なくとも１つの入口を有し外気がフィルターキャニスターに導かれるようにする補強された筐体であって、該筐体は前記ハウジングに据付けられ前記フィルターキャニスターを取り囲むようになされ、前記フィルターキャニスターが利用者用に外気をろ過するのに使用されている間前記フィルターキャニスターを火炎と熱から保護するようになされた補強された筐体と；
空気を前記少なくとも１つの入口を通じて前記筐体の内部に、そして呼吸に適したろ過された空気を生成するため前記フィルターキャニスターを通過させるブロワとを含む；
携帯用動力付き空気浄化人工呼吸器。
【請求項２１】
前記フィルターキャニスターは、前記補強された筐体を取り替えることなく、取り替えることができる；
請求項２０の携帯用動力付き空気浄化人工呼吸器。
【請求項２２】
前記補強された筐体は一時的に取り外せて、フィルターキャニスターを取り替えることができるようになされた；
請求項２０の携帯用動力付き空気浄化人工呼吸器。
【請求項２３】
前記補強された筐体は使用中は所定の位置でラッチされ、前記フィルターキャニスターが取り替えされている間は一時的にラッチが外される；
請求項２０の携帯用動力付き空気浄化人工呼吸器。
【請求項２４】
前記フィルターキャニスターは少なくとも第２のフィルターキャニスターを含み、前記補強された筐体は少なくとも第２の補強された筐体を含む；
請求項２０の携帯用動力付き空気浄化人工呼吸器。
【請求項２５】
ＰＡＰＲ筐体と該ＰＡＰＲ筐体を通して空気を引き込むブロワとを有する動力付き空気浄化人工呼吸器と；
利用者の鼻と口を気密の状態で覆うように構成された面体と；
前記面体を前記動力付き空気浄化人工呼吸器に接続する空気流路と；
前記面体と前記動力付き空気浄化人工呼吸器の間の空気流路に置かれる圧力逃がし弁であって、該圧力逃がし弁は前記空気流路の圧力が所定の圧力を超えたときだけ開くようにバイアスを掛けられ、前記面体内の圧力が該所定の圧力を超えないように維持する、圧力逃がし弁とを備える；
呼吸システム。
【請求項２６】
前記空気流路の前記圧力が前記所定の圧力を超えたときに、前記圧力逃がし弁が前記空気流路からの空気を前記ＰＡＰＲ筐体内に排気するように前記圧力逃がし弁から前記ＰＡＰＲ筐体への再循環流路をさらに備える；
請求項２５の呼吸システム。
【請求項２７】
前記ブロワは電子制御された遠心ファンである；
請求項２５の呼吸システム。
【請求項２８】
前記ブロワと前記圧力逃がし弁が協働して常に前記面体内を正圧に維持する；
請求項２５の呼吸システム。
【請求項２９】
前記所定の圧力が３８．１ｍｍ（１．５インチ）Ｈ２Ｏである；
請求項２５の呼吸システム。
【請求項３０】
前記圧力逃がし弁はバイアスを掛けられ、前記利用者が吸気する間は閉じ続けるが、前記利用者が呼気する間は開き余剰な空気流量を排気する；
請求項２５の呼吸システム。
【請求項３１】
前記圧力逃がし弁は、余剰な空気流量をＰＡＰＲ筐体の内部に排気し、それによって既にろ過された余剰な空気を再循環する；
請求項２５の呼吸システム。